(57)【要約】【課題】  本発明は、ソースドライバの特性をリアルタイムに反映してピクセルの特性を正確に補正できるように支援するディスプレイ駆動装置を開示する。【解決手段】  前記ディスプレイ駆動装置は、ディスプレイパネルのピクセルの特性を補正するためのピクセル信号と、ソースドライバの特性を補正するための少なくとも１つの基準信号を同時に検知する検知回路と、前記検知回路によって検知された前記ピクセル信号と前記少なくとも１つの基準信号をピクセルデータと基準データに変換し、前記ピクセルデータと前記基準データを伝送するアナログデジタルコンバータと、を含む。【選択図】図１
2019523457.tif 000002
【特許請求の範囲】
【請求項１】
ディスプレイパネルのピクセルの特性を補正するためのピクセル信号と、ソースドライバの特性を補正するための少なくとも１つの基準信号を同時に検知する検知回路と、
前記検知回路によって検知された前記ピクセル信号と前記少なくとも１つの基準信号をピクセルデータと基準データに変換し、前記ピクセルデータと前記基準データを伝送するアナログデジタルコンバータと、を含むディスプレイ駆動装置。
【請求項２】
前記検知回路は、
前記ピクセル信号を検知する第１検知チャネル部と、
前記少なくとも１つの基準信号を検知する第２検知チャネル部と、を含み、
前記第２検知チャネル部は、前記第１検知チャネル部に同期して、前記少なくとも１つの基準信号を検知する、請求項１に記載のディスプレイ駆動装置。
【請求項３】
前記検知回路は、
前記ピクセル信号と一対一対応するサンプルアンドホールド回路を含み、
前記サンプルアンドホールド回路の少なくとも１つは、前記少なくとも１つの基準信号をサンプリングし、残りのサンプルアンドホールド回路は、前記ピクセル信号をサンプリングする、請求項１に記載のディスプレイ駆動装置。
【請求項４】
前記基準信号は、
周辺環境要因に対して一定（ｃｏｎｓｔａｎｔ）レベルを維持するように設定された、請求項１に記載のディスプレイ駆動装置。
【請求項５】
前記ピクセルデータと前記基準データを演算して、前記ピクセルの特性において前記ソースドライバの特性を補正した演算データをコントローラに出力する補正演算部をさらに含む、請求項１に記載のディスプレイ駆動装置。
【請求項６】
前記ピクセルデータと前記基準データを演算して、前記ピクセルの特性において前記ソースドライバの特性を補正した演算データを出力する補正演算部と、
前記演算データをコントローラに伝達するか、前記ピクセルデータと前記基準データをコントローラに伝達する伝達部と、をさらに含む、請求項１に記載のディスプレイ駆動装置。
【請求項７】
前記コントローラは、前記演算データ、または前記ピクセルデータと前記基準データを用いて、前記ピクセルの特性と前記ソースドライバのオフセットおよびゲイン特性を補正する、請求項６に記載のディスプレイ駆動装置。
【請求項８】
ディスプレイパネルのピクセルの特性を補正するためのピクセル信号を検知する第１検知チャネル部と、
ソースドライバの特性を補正するための少なくとも１つの基準信号を検知する第２検知チャネル部と、
前記第１検知チャネル部と前記第２検知チャネル部によって検知された前記ピクセル信号と前記少なくとも１つの基準信号を、予め設定された順序によって順次に出力する選択部と、
前記選択部によって出力される前記ピクセル信号と前記少なくとも１つの基準信号をピクセルデータと基準データに変換し、前記ピクセルデータと前記基準データを伝送するアナログデジタルコンバータと、を含むディスプレイ駆動装置。
【請求項９】
前記第２検知チャネル部は、
前記第１検知チャネル部に同期して、前記少なくとも１つの基準信号を検知する、請求項８に記載のディスプレイ駆動装置。
【請求項１０】
前記ピクセルデータと前記基準データを演算して、前記ピクセルの特性において前記ソースドライバの特性を補正した演算データを提供する補正演算部と、
前記演算データをコントローラに伝達するか、前記ピクセルデータと前記基準データをコントローラに伝達する伝達部と、をさらに含む、請求項８に記載のディスプレイ駆動装置。
【請求項１１】
前記コントローラは、前記演算データ、または前記ピクセルデータと前記基準データを用いて、前記ピクセルの特性と前記ソースドライバのオフセットおよびゲイン特性を補正する、請求項１０に記載のディスプレイ駆動装置。
【請求項１２】
ディスプレイパネルのピクセルの特性を補正するためのピクセル信号を検知する検知チャネルを含み、前記検知チャネルの一部は、少なくとも１つのピクセル信号とソースドライバの特性を補正するための少なくとも１つの基準信号を選択的に検知する検知チャネル部と、
前記検知チャネル部によって検知された前記ピクセル信号と前記少なくとも１つの基準信号を、予め設定された順序によって順次に出力する選択部と、
前記選択部によって出力される前記ピクセル信号と前記少なくとも１つの基準信号をピクセルデータと基準データに変換し、前記ピクセルデータと前記基準データを伝送するアナログデジタルコンバータと、を含むディスプレイ駆動装置。
【請求項１３】
前記少なくとも１つのピクセル信号と前記少なくとも１つの基準信号を前記検知チャネルの前記一部に選択的に伝達するスイッチング部をさらに含む、請求項１２に記載のディスプレイ駆動装置。
【請求項１４】
前記検知チャネル部は、前記ピクセル信号と一対一対応するサンプルアンドホールド回路を含み、
前記サンプルアンドホールド回路の少なくとも１つは、前記少なくとも１つのピクセル信号と前記少なくとも１つの基準信号を選択的にサンプリングする、請求項１２に記載のディスプレイ駆動装置。
【請求項１５】
前記ピクセルデータと前記基準データを演算して、ピクセルの特性においてソースドライバの特性を補正した演算データを提供する補正演算部と、
前記演算データをコントローラに伝達するか、前記ピクセルデータと前記基準データをコントローラに伝達する伝達部とをさらに含む、請求項１２に記載のディスプレイ駆動装置。
【発明の詳細な説明】
【技術分野】
【０００１】
本発明は、ディスプレイ装置に関し、より詳細には、ソースドライバの特性をリアルタイムに反映してピクセルの特性を正確に補正できるように支援する技術に関する。
【背景技術】
【０００２】
一般的に、ディスプレイ装置は、ディスプレイパネル、ソースドライバ、およびタイミングコントローラなどを含む。
ソースドライバは、タイミングコントローラから提供されるデジタル映像データをソース駆動信号に変換し、これをディスプレイパネルに提供する。ソースドライバは、１つのチップ（ｃｈｉｐ）から構成され、ディスプレイパネルの大きさと解像度を考慮して複数個から構成される。
【０００３】
一方、大面積のディスプレイパネルは、各ピクセルの間に特性ばらつきがありうる。これを補正するために、ソースドライバは、ピクセル電圧をデジタルデータに変換してタイミングコントローラに提供する。ところが、デジタルデータには、ピクセルの特性だけでなく、ソースドライバの特性も含まれているため、これを除去しなければならない。
【０００４】
そして、ソースドライバは、電源電圧、温度などによってゲイン（Ｇａｉｎ）およびオフセット（Ｏｆｆｓｅｔ）などの特性が変化しうるので、ソースドライバの特性を補正するための過程が必要である。
このため、従来技術は、ソースドライバの特性を補正するための時間を割り当てて、特定の入力値に対するすべてのチャネルのデータを１回以上取得してソースドライバの特性を補正した後、ピクセル電圧を検知してピクセルの特性を補正している。
しかし、前記のような従来技術は、補正のための同じ動作を最小２回以上繰り返すので、補正時間が長くなるという欠点がある。
【０００５】
また、従来技術は、ソースドライバの特性を補正する時間とピクセルの特性を補正する時間の温度および電源電圧などの周辺環境が異なりうるので、ソースドライバの特性とピクセルの特性に対する補正の精度が低下してブロックディムのような画像問題が発生しうる。
【発明の概要】
【発明が解決しようとする課題】
【０００６】
本発明が解決しようとする技術的課題は、変化するソースドライバの特性をリアルタイムに反映してピクセルの特性を正確に補正し、補正時間を短縮できるディスプレイ駆動装置を提供することである。
【課題を解決するための手段】
【０００７】
本発明の一実施形態に係るディスプレイ駆動装置は、ディスプレイパネルのピクセルの特性を補正するためのピクセル信号と、ソースドライバの特性を補正するための少なくとも１つの基準信号を同時に検知する検知回路と、前記検知回路によって検知された前記ピクセル信号と前記少なくとも１つの基準信号をピクセルデータと基準データに変換し、前記ピクセルデータと前記基準データを伝送するアナログデジタルコンバータと、を含む。
【０００８】
本発明の一実施形態に係るディスプレイ駆動装置は、ディスプレイパネルのピクセルの特性を補正するためのピクセル信号を検知する第１検知チャネル部と、ソースドライバの特性を補正するための少なくとも１つの基準信号を検知する第２検知チャネル部と、前記第１検知チャネル部と前記第２検知チャネル部によって検知された前記ピクセル信号と前記少なくとも１つの基準信号を、予め設定された順序によって順次に出力する選択部と、前記選択部によって出力される前記ピクセル信号と前記少なくとも１つの基準信号をピクセルデータと基準データに変換し、前記ピクセルデータと前記基準データを伝送するアナログデジタルコンバータと、を含む。
【０００９】
本発明の他の実施形態に係るディスプレイ駆動装置は、ディスプレイパネルのピクセルの特性を補正するためのピクセル信号を検知する検知チャネルを含み、前記検知チャネルの一部は、少なくとも１つのピクセル信号とソースドライバの特性を補正するための少なくとも１つの基準信号を選択的に検知する検知チャネル部と、前記検知チャネル部によって検知された前記ピクセル信号と前記少なくとも１つの基準信号を、予め設定された順序によって順次に出力する選択部と、前記選択部によって出力される前記ピクセル信号と前記少なくとも１つの基準信号をピクセルデータと基準データに変換し、前記ピクセルデータと前記基準データを伝送するアナログデジタルコンバータと、を含む。
【発明の効果】
【００１０】
本発明の実施形態によれば、本発明は、ピクセルの特性を補正するためのピクセル信号と、ソースドライバの特性を補正するための基準信号を同時に検知して、ピクセルの特性とソースドライバの特性で同時に補正するので、補正時間を短縮することができ、補正の精度を向上させることができる。
【００１１】
また、本発明は、補正の精度を向上させることができるので、ブロックディムのような画像問題を解決することができる。
【００１２】
さらに、本発明は、ピクセルの特性を補正するためのピクセル信号と、ソースドライバの特性を補正するための基準信号を同時に取得するので、温度、電源電圧などの周辺環境の変化によるソースドライバの特性変化をリアルタイムに反映することができる。
【図面の簡単な説明】
【００１３】
【図１】本発明の一実施形態に係るディスプレイ駆動装置のブロック図である。
【図２】本発明の一実施形態に係る図１の検知回路のブロック図である。
【図３】本発明の他の実施形態に係る図１の検知回路のブロック図である。
【図４】本発明の他の実施形態に係るディスプレイ駆動装置のブロック図である。
【図５】本発明のさらに他の実施形態に係るディスプレイ駆動装置のブロック図である。
【発明を実施するための形態】
【００１４】
以下、添付した図面を参照して、本発明の好ましい実施形態を詳細に説明する。本明細書および特許請求の範囲に使われた用語は、通常的または辞書的意味に限定されて解釈されず、本発明の技術的事項に符合する意味と概念で解釈されなければならない。
本明細書に記載の実施形態と図面に示された構成は本発明の好ましい実施形態であり、本発明の技術的思想をすべて代弁するものではないので、本出願時点でこれらを代替できる多様な均等物と変形例がありうる。
【００１５】
図１は、本発明の一実施形態に係るディスプレイ駆動装置のブロック図である。
図１を参照すれば、本発明の一実施形態に係るディスプレイ駆動装置１００は、ディスプレイパネル２００にソース駆動信号を提供するソースドライバＳＤ−ＩＣを含む。ソースドライバＳＤ−ＩＣは、１つのチップ（ｃｈｉｐ）から構成され、ディスプレイパネル２００の大きさと解像度を考慮して個数が決定される。本発明では、説明の簡素化のために、１つのソースドライバだけを示す。
【００１６】
ディスプレイパネル２００は、液晶パネル、ＯＬＥＤ（Ｏｒｇａｎｉｃ  Ｌｉｇｈｔ  Ｅｍｉｔｔｉｎｇ  Ｄｉｏｄｅ）パネルなどが用いられる。
ディスプレイパネル２００は、マトリクス状のピクセルアレイを含み、ピクセルアレイは、Ｒ（Ｒｅｄ）、Ｇ（Ｇｒｅｅｎ）、Ｂ（Ｂｌｕｅ）ピクセルを備えるか、輝度向上のためのＷ（Ｗｈｉｔｅ）ピクセルを追加的に備えることができる。各ピクセルは、発光素子とディスプレイ駆動装置１００から提供されるソース駆動信号に対応する電流を発光素子に供給するピクセル回路を含む。ピクセル回路は、ソース駆動信号に対応する電流を発光素子に提供する駆動トランジスタを含む。このような駆動トランジスタは、ピクセル位置毎のしきい電圧および移動度などのような特性や発光素子のしきい電圧などのような特性が不均一であったり、駆動時間の経過に伴う駆動トランジスタおよび発光素子の劣化ばらつきがあったりすることって輝度ムラの現象が発生しうる。
【００１７】
前記のようなピクセルの特性を補正するために、ディスプレイ駆動装置１００は、ディスプレイパネル２００のピクセルの特性を示すピクセル信号Ｐ＜１：ｎ＞を検知し、ピクセル信号Ｐ＜１：ｎ＞をピクセルデータＤ＿Ｐに変換してコントローラ３００に提供する。一例として、ディスプレイ駆動装置１００は、ピクセル信号Ｐ＜１：ｎ＞でピクセル電圧やピクセル電流を検知するものから構成することができる。
【００１８】
ピクセル信号Ｐ＜１：ｎ＞に相応するピクセルデータＤ＿Ｐは、駆動トランジスタのしきい電圧、移動度のような駆動トランジスタの特性と、発光素子のしきい電圧のような劣化特性を演算するのに用いられる。発光素子に流れるピクセル電流は、駆動トランジスタのしきい電圧、移動度と、発光素子のしきい電圧に応じて異なるため、前記のようなピクセルの特性値を演算するのに用いられ、ピクセルの特性値はデジタル映像データを補償するのに用いられる。
【００１９】
ところが、ピクセルデータＤ＿Ｐには、ピクセルの特性だけでなく、ソースドライバのオフセットやゲインなどの特性も含まれる。したがって、本発明は、ピクセルの特性に対する補正時、ソースドライバの特性に対する補正を同時に進行できるように支援するディスプレイ駆動装置１００を開示する。
【００２０】
このために、本発明のディスプレイ駆動装置１００は、ピクセルの特性を補正するためのピクセル信号Ｐ＜１：ｎ＞を検知する時、ソースドライバの特性を補正するための基準信号ＲＥＦ＜１：ｍ＞を同時に検知し、ピクセル信号Ｐ＜１：ｎ＞と基準信号ＲＥＦ＜１：ｍ＞をデジタルデータＤＯＵＴに変換し、ピクセル信号Ｐ＜１：ｎ＞に対応するピクセルデータＤ＿Ｐと基準信号ＲＥＦ＜１：ｍ＞に対応する基準データＤ＿ＲＥＦをコントローラ３００に提供する。
【００２１】
前記のようなディスプレイ駆動装置１００は、ピクセル信号Ｐ＜１：ｎ＞と基準信号ＲＥＦ＜１：ｍ＞を検知する検知回路３０と、ピクセル信号Ｐ＜１：ｎ＞と基準信号ＲＥＦ＜１：ｍ＞をピクセルデータＤ＿Ｐと基準データＤ＿ＲＥＦに変換するアナログデジタルコンバータ（ＡＤＣ：Ａｎａｌｏｇ  Ｄｉｇｉｔａｌ  Ｃｏｎｖｅｒｔｏｒ）４０とを含む。
【００２２】
検知回路３０は、ピクセルの特性を補正するためのピクセル信号Ｐ＜１：ｎ＞と、ソースドライバの特性を補正するための基準信号ＲＥＦ＜１：ｍ＞を同時に検知する。このような検知回路３０は、別途の検知チャネルを用いて基準信号ＲＥＦ＜１：ｍ＞を検知するか、ピクセル信号Ｐ＜１：ｎ＞を検知する検知チャネルのうち一部の検知チャネルを用いて基準信号ＲＥＦ＜１：ｍ＞を検知するように構成することができる。ここで、基準信号ＲＥＦ＜１：ｍ＞は、温度、電源電圧などの周辺環境の変化にも一定（ｃｏｎｓｔａｎｔ）レベルを有する電圧で定義され、外部から提供されるものから構成することができる。
【００２３】
一例として、検知回路３０は、サンプルアンドホールド回路から構成することができ、ピクセル信号Ｐ＜１：ｎ＞をサンプリングするサンプルアンドホールド回路と、少なくとも１つの基準信号ＲＥＦ＜１：ｍ＞をサンプリングする別途のサンプルアンドホールド回路とから構成することができる。あるいは、検知回路３０は、ピクセル信号Ｐ＜１：ｎ＞をサンプリングするサンプルアンドホールド回路の一部は、少なくとも１つのピクセル信号と少なくとも１つの基準信号ＲＥＦ＜１：ｍ＞を選択的にサンプリングするように構成してもよい。
【００２４】
そして、検知回路３０は、１つの基準信号ＲＥＦ＜１＞を検知するか、２つ以上の基準信号ＲＥＦ＜１：ｍ＞を検知するものから構成することができる。コントローラ３００は、１つの基準信号ＲＥＦ＜１＞に対応する基準データＤ＿ＲＥＦを用いて、ソースドライバのオフセット（ｏｆｆｓｅｔ）値の演算が可能であり、２つ以上の基準信号ＲＥＦ＜１：ｍ＞に対応する基準データＤ＿ＲＥＦを用いて、ソースドライバのオフセット（ｏｆｆｓｅｔ）とゲイン（ｇａｉｎ）値の演算が可能である。
【００２５】
検知回路３０は、検知したピクセル信号Ｐ＜１：ｎ＞と基準信号ＲＥＦ＜１：ｍ＞を、予め設定された順序によってアナログデジタルコンバータ４０に順次に出力する。
【００２６】
アナログデジタルコンバータ４０は、検知回路３０から順次に出力されるピクセル信号Ｐ＜１：ｎ＞と基準信号ＲＥＦ＜１：ｍ＞をピクセルデータＤ＿Ｐと基準データＤ＿ＲＥＦにそれぞれ変換し、ピクセルデータＤ＿Ｐと基準データＤ＿ＲＥＦを同時にコントローラ３００に提供する。
【００２７】
コントローラ３００は、ピクセルデータＤ＿Ｐを用いてピクセルの特性値を演算し、基準データＤ＿ＲＥＦを用いてソースドライバの特性値を演算し、ソースドライバの特性値を用いてピクセルの特性値を補正する。そして、コントローラ３００は、補正されたピクセルの特性値を用いて補償データを生成し、これをデジタル映像データに補償する。
【００２８】
このように、本発明のディスプレイ駆動装置は、ピクセルの特性を確認できるピクセル信号Ｐ＜１：ｎ＞と、ソースドライバの特性を確認できる基準信号ＲＥＦ＜１：ｍ＞を同一の時間に検知し、ピクセル信号Ｐ＜１：ｎ＞に対応するピクセルデータＤ＿Ｐと、基準信号ＲＥＦ＜１：ｍ＞に対応する基準データＤ＿ＲＥＦを同時にコントローラ３００に提供するように構成する。
【００２９】
前記のように構成された本発明は、ピクセルの特性を補正するためのピクセル信号Ｐ＜１：ｎ＞と、ソースドライバの特性を補正するための基準信号ＲＥＦ＜１：ｍ＞を同時に検知して、ピクセルの特性とソースドライバの特性を同時に補正するので、補正時間を短縮することができ、補正の精度を向上させることができる。また、ブロックディムのような画像問題を解決することができる。
【００３０】
このように、本発明は、ピクセルの特性を補正するためのピクセル信号Ｐ＜１：ｎ＞と、ソースドライバの特性を補正するための基準信号ＲＥＦ＜１：ｍ＞を同時に取得するので、温度、電源電圧などの周辺環境の変化によるソースドライバの特性変化をリアルタイムに反映することができる。
【００３１】
図２は、本発明の一実施形態に係る図１の検知回路３０のブロック図である。
図２を参照すれば、検知回路３０は、第１検知チャネル部１０と、第２検知チャネル部２０と、選択部５０とを含む。
【００３２】
第１検知チャネル部１０は、ディスプレイパネル２００のピクセルの特性を補正するためのピクセル信号Ｐ＜１：ｎ＞を検知し、第２検知チャネル部２０は、ソースドライバの特性を補正するための、外部から提供される少なくとも１つの基準信号ＲＥＦ＜１：ｍ＞を検知する。このような第１検知チャネル部１０は、ディスプレイパネル２００のセンシングラインと一対一対応する検知チャネルを介してピクセル信号Ｐ＜１：ｎ＞を検知し、第２検知チャネル部２０は、別途に備えられた検知チャネルを介して基準信号ＲＥＦ＜１：ｍ＞を検知する。
【００３３】
一例として、第１検知チャネル部１０と第２検知チャネル部２０は、サンプルアンドホールド回路から構成され、その個数は、ピクセル信号Ｐ＜１：ｎ＞と基準信号ＲＥＦ＜１：ｍ＞の個数に対応して構成される。ここで、第２検知チャネル部２０は、第１検知チャネル部１０に同期して、第１検知チャネル部１０がピクセル信号Ｐ＜１：ｎ＞を検知する時間に少なくとも１つの基準信号ＲＥＦ＜１：ｍ＞を同時に検知するように構成することができる。
【００３４】
選択部５０は、第１検知チャネル部１０と第２検知チャネル部２０によって検知されたピクセル信号Ｐ＜１：ｎ＞と基準信号ＲＥＦ＜１：ｍ＞を、予め設定された順序によって順次にアナログデジタルコンバータ４０に提供するように構成することができる。
【００３５】
アナログデジタルコンバータ４０は、選択部５０によって順次に出力されるピクセル信号Ｐ＜１：ｎ＞と基準信号ＲＥＦ＜１：ｍ＞をピクセルデータＤ＿Ｐと基準データＤ＿ＲＥＦに変換する。このようなピクセルデータＤ＿Ｐと基準データＤ＿ＲＥＦはコントローラ３００に提供される。
【００３６】
コントローラ３００は、ピクセルデータＤ＿Ｐを用いてピクセルの特性値を演算し、基準データＤ＿ＲＥＦを用いてソースドライバの特性値を演算し、ソースドライバの特性値を用いてピクセルの特性値を補正する。
【００３７】
このように、本発明は、ピクセルの特性に対する補正時、ソースドライバの特性に対する補正を同時に進行させるので、補正時間を短縮することができる。また、ピクセル信号Ｐ＜１：ｎ＞と基準信号ＲＥＦ＜１：ｍ＞を取得する時間が同一であるので、温度、電源電圧などの周辺環境の変化によるソースドライバの特性変化をリアルタイムに反映することができる。
【００３８】
一方、図１および図２の説明において、本実施形態は、ピクセル信号Ｐ＜１：ｎ＞と基準信号ＲＥＦ＜１：ｍ＞に対応するピクセルデータＤ＿Ｐと基準データＤ＿ＲＥＦをコントローラ３００に伝送すると説明しているが、コントローラ３００で要求するデータフォーマットに合わせて、ピクセルデータＤ＿Ｐと基準データＤ＿ＲＥＦを演算してコントローラ３００に提供するものから構成してもよい。一例として、本実施形態は、ピクセルの特性を示すピクセルデータＤ＿Ｐにおいてソースドライバの特性を示す基準データＤ＿ＲＥＦを補正した演算データＤ＿ＣＡＬ（図４に図示）をコントローラ３００に提供するものから構成してもよい。
【００３９】
図３は、本発明の他の実施形態に係る図１の検知回路３０のブロック図である。
図３を参照すれば、検知回路３０は、スイッチング部６０と、検知チャネル部７０と、選択部５０とを含む。
【００４０】
検知チャネル部７０は、ピクセル信号Ｐ＜１：ｎ＞に一対一対応するサンプルアンドホールド回路７２から構成され、サンプルアンドホールド回路７２の一部はピクセル信号Ｐ＜１：ｎ−ｍ＞をサンプリングし、残りの一部は基準信号ＲＥＦ＜１：ｍ＞をサンプリングするように構成することができる。すなわち、図３の実施形態は、ピクセル信号Ｐ＜１：ｎ＞をサンプリングするサンプルアンドホールド回路７２を用いて、一部はピクセル信号Ｐ＜１：ｎ−ｍ＞をサンプリングし、残りは基準信号ＲＥＦ＜１：ｍ＞と残りのピクセル信号Ｐ＜１：ｎ−ｍ＋１＞を選択的にサンプリングするように構成することができる。
【００４１】
スイッチング部６０は、ピクセル信号Ｐ＜ｎ−ｍ＋１：ｎ＞と基準信号ＲＥＦ＜１：ｍ＞を選択的に検知チャネル部７０に伝達する。スイッチング部６０は、選択器６２、６４を含み、予め設定された制御信号に応答して、ピクセル信号Ｐ＜ｎ−ｍ＋１：ｎ＞または基準信号ＲＥＦ＜１：ｍ＞を検知チャネル部７０に伝達する。
【００４２】
選択部５０は、検知チャネル部７０によって検知されたピクセル信号Ｐ＜１：ｎ−ｍ＞と基準信号ＲＥＦ＜１：ｍ＞を、予め設定された順序によって順次にアナログデジタルコンバータ４０に提供するように構成することができる。
【００４３】
アナログデジタルコンバータ４０は、選択部５０から順次に出力されるピクセル信号Ｐ＜１：ｎ−ｍ＞と基準信号ＲＥＦ＜１：ｍ＞をピクセルデータＤ＿Ｐと基準データＤ＿ＲＥＦに変換する。このようなピクセルデータＤ＿Ｐと基準データＤ＿ＲＥＦはコントローラ３００に提供され、ピクセルの特性値とソースドライバの特性値を演算するのに用いられる。
【００４４】
このように、本発明は、ピクセルの特性に対する補正時、ソースドライバの特性に対する補正を同時に進行させるので、補正時間を短縮することができる。また、ピクセル信号Ｐ＜１：ｎ＞と基準信号ＲＥＦ＜１：ｍ＞を取得する時間が同一であるので、温度、電源電圧などの周辺環境の変化によるソースドライバの特性変化をリアルタイムに反映することができる。
【００４５】
一方、図１および図３の説明において、本実施形態は、ピクセル信号Ｐ＜１：ｎ＞と基準信号ＲＥＦ＜１：ｍ＞に対応するピクセルデータＤ＿Ｐと基準データＤ＿ＲＥＦをコントローラ３００に伝送すると説明しているが、コントローラ３００で要求するデータフォーマットに合わせて、ピクセルデータＤ＿Ｐと基準データＤ＿ＲＥＦを演算してコントローラ３００に提供するものから構成してもよい。一例として、本実施形態は、ピクセルの特性を示すピクセルデータＤ＿Ｐにおいてソースドライバの特性を示す基準データＤ＿ＲＥＦを補正した演算データＤ＿ＣＡＬ（図４に図示）をコントローラ３００に提供するものから構成してもよい。
【００４６】
図４は、本発明の他の実施形態に係るディスプレイ駆動装置のブロック図である。
図４を参照すれば、本発明の実施形態に係るディスプレイ駆動装置１００は、検知回路３０と、アナログデジタルコンバータ４０と、補正演算部８０とを含む。
【００４７】
検知回路３０は、ディスプレイパネル２００のピクセルの特性を補正するためのピクセル信号Ｐ＜１：ｎ＞と、ソースドライバの特性を補正するための基準信号ＲＥＦ＜１：ｍ＞を同時に検知する。このような検知回路３０は、図２に示すように、ディスプレイパネル２００のセンシングラインと一対一に対応する検知チャネルを介してピクセル信号Ｐ＜１：ｎ＞を検知し、別途に備えられた検知チャネルを介して基準信号ＲＥＦ＜１：ｍ＞を検知するように構成することができる。あるいは、検知回路３０は、図３に示すように、ディスプレイパネル２００のセンシングラインと一対一に対応する検知チャネルのうち一部の検知チャネルを用いて基準信号ＲＥＦ＜１：ｍ＞を検知するように構成してもよい。
【００４８】
アナログデジタルコンバータ４０は、検知回路３０によって検知されたピクセル信号Ｐ＜１：ｎ＞と基準信号ＲＥＦ＜１：ｍ＞をピクセルデータＤ＿Ｐと基準データＤ＿ＲＥＦにそれぞれ変換する。ピクセル信号Ｐ＜１：ｎ＞に相応するピクセルデータＤ＿Ｐは、ピクセル回路内の駆動トランジスタのしきい電圧、移動度のような駆動トランジスタの特性と、ピクセル回路内の発光素子のしきい電圧のような劣化特性を演算するのに用いられる。発光素子に流れるピクセル電流は、駆動トランジスタのしきい電圧、移動度と、発光素子のしきい電圧に応じて異なるため、前記のようなピクセルの特性値を演算するのに用いられる。基準信号ＲＥＦ＜１：ｍ＞に相応する基準データＤ＿ＲＥＦは、ソースドライバのオフセットとゲインなどの特性値を演算するのに用いられる。
【００４９】
補正演算部８０は、コントローラ３００で要求するフォーマットに対応するようにピクセルデータＤ＿Ｐと基準データＤ＿ＲＥＦを演算し、演算データＤ＿ＣＡＬをコントローラ３００に提供する。一例として、補正演算部８０は、ピクセルの特性を示すピクセルデータＤ＿Ｐと、ソースドライバの特性を示す基準データＤ＿ＲＥＦを用いて、ピクセルの特性においてソースドライバの特性を補正した演算データＤ＿ＣＡＬを生成し、ソースドライバの特性を補正した演算データＤ＿ＣＡＬをコントローラ３００に提供するものから構成することができる。
【００５０】
コントローラ３００は、補正演算部８０から受信される演算データＤ＿ＣＡＬを用いてピクセルの特性値を演算し、ピクセルの特性値に対応する補償データを生成し、これをデジタル映像データに補償する。コントローラ３００は、ソースドライバの特性が補正された演算データＤ＿ＣＡＬを用いてピクセルの特性を補正するための補償データを生成するので、補正に要求されるロジックを簡素化することができ、補正時間を短縮することができる。
【００５１】
図５は、本発明のさらに他の実施形態に係るディスプレイ駆動装置のブロック図である。
図５を参照すれば、本発明の実施形態に係るディスプレイ駆動装置１００は、検知回路３０と、アナログデジタルコンバータ４０と、補正演算部８０と、伝達部９０とを含む。
【００５２】
検知回路３０は、ディスプレイパネル２００のピクセルの特性を補正するためのピクセル信号Ｐ＜１：ｎ＞と、ソースドライバの特性を補正するための基準信号ＲＥＦ＜１：ｍ＞を同時に検知する。このような検知回路３０は、図２に示すように、ディスプレイパネル２００のセンシングラインと一対一に対応する検知チャネルを介してピクセル信号Ｐ＜１：ｎ＞を検知し、別途に備えられた検知チャネルを介して基準信号ＲＥＦ＜１：ｍ＞を検知するように構成することができる。あるいは、検知回路３０は、図３に示すように、ディスプレイパネル２００のセンシングラインと一対一に対応する検知チャネルのうち一部の検知チャネルを用いて基準信号ＲＥＦ＜１：ｍ＞を検知するように構成してもよい。
【００５３】
アナログデジタルコンバータ４０は、検知回路３０によって検知されたピクセル信号Ｐ＜１：ｎ＞と基準信号ＲＥＦ＜１：ｍ＞をピクセルデータＤ＿Ｐと基準データＤ＿ＲＥＦにそれぞれ変換する。ピクセル信号Ｐ＜１：ｎ＞に相応するピクセルデータＤ＿Ｐは、ピクセル回路内の駆動トランジスタのしきい電圧、移動度のような駆動トランジスタの特性と、ピクセル回路内の発光素子のしきい電圧のような劣化特性を演算するのに用いられる。発光素子に流れるピクセル電流は、駆動トランジスタのしきい電圧、移動度と、発光素子のしきい電圧に応じて異なるため、前記のようなピクセルの特性値を演算するのに用いられる。基準信号ＲＥＦ＜１：ｍ＞に相応する基準データＤ＿ＲＥＦは、ソースドライバのオフセットとゲインなどの特性値を演算するのに用いられる。
【００５４】
補正演算部８０は、コントローラ３００で要求するフォーマットに対応するようにピクセルデータＤ＿Ｐと基準データＤ＿ＲＥＦを演算する。一例として、補正演算部８０は、ピクセルの特性を示すピクセルデータＤ＿Ｐと、ソースドライバの特性を示す基準データＤ＿ＲＥＦを用いて、ピクセルの特性においてソースドライバの特性を補正した演算データＤ＿ＣＡＬを生成することができる。
【００５５】
伝達部９０は、演算データＤ＿ＣＡＬをコントローラ３００に伝達するか、ピクセルデータＤ＿Ｐと基準データＤ＿ＲＥＦをコントローラ３００に伝達する。このような伝達部９０は、コントローラ３００の要請に対応して、演算データＤ＿ＣＡＬ、またはピクセルデータＤ＿Ｐと基準データＤ＿ＲＥＦを伝達するように設定される。
【００５６】
コントローラ３００は、伝達部９０から演算データＤ＿ＣＡＬが伝達される場合、演算データＤ＿ＣＡＬを用いてピクセルの特性値を演算し、ピクセルの特性値に対応する補償データを生成し、これをデジタル映像データに補償する。あるいは、コントローラ３００は、伝達部９０からピクセルデータＤ＿Ｐと基準データＤ＿ＲＥＦが伝達される場合、ピクセルデータＤ＿Ｐと基準データＤ＿ＲＥＦを用いてピクセルの特性値とソースドライバの特性値を演算し、ピクセルの特性値とソースドライバの特性値を用いて補償データを生成し、これをデジタル映像データに補償する。
【００５７】
このように、本発明のディスプレイ駆動装置は、ピクセルの特性を補正するためのピクセル信号Ｐ＜１：ｎ＞と、ソースドライバの特性を補正するための基準信号ＲＥＦ＜１：ｍ＞を同一の時間に検知し、ピクセル信号Ｐ＜１：ｎ＞と基準信号ＲＥＦ＜１：ｍ＞をピクセルデータＤ＿Ｐと基準データＤ＿ＲＥＦに変換し、ピクセルデータＤ＿Ｐと基準データＤ＿ＲＥＦを演算して、ピクセルの特性においてソースドライバの特性が補正された演算データＤ＿ＣＡＬをコントローラ３００に提供するので、コントローラ３００の補償データ生成のためのロジック（演算）を簡素化して補正時間を短縮することができ、補正の精度を向上させることができる。
【００５８】
このように、本発明は、ピクセルの特性を補正するためのピクセル信号Ｐ＜１：ｎ＞と、ソースドライバの特性を補正するための基準信号ＲＥＦ＜１：ｍ＞を同時に取得するので、温度、電源電圧などの周辺環境の変化によるソースドライバの特性変化をリアルタイムに反映することができる。
【図１】
2019523457.tif 000003
【図２】
2019523457.tif 000004
【図３】
2019523457.tif 000005
【図４】
2019523457.tif 000006
【図５】
2019523457.tif 000007
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
ディスプレイパネルのピクセルの特性を補正するためのピクセル信号を検知し、前記ピクセル信号を検知する時、ソースドライバの特性を補正するための少なくとも１つの基準信号を検知する検知回路と、
前記検知回路によって検知された前記ピクセル信号と前記少なくとも１つの基準信号をピクセルデータと基準データに変換し、前記ピクセルデータと前記基準データを伝送するアナログデジタルコンバータと、を含むディスプレイ駆動装置。
【請求項２】
前記検知回路は、
前記ピクセル信号を検知する第１検知チャネル部と、
前記少なくとも１つの基準信号を検知する第２検知チャネル部と、を含み、
前記第２検知チャネル部は、前記第１検知チャネル部に同期して、前記少なくとも１つの基準信号を検知する、請求項１に記載のディスプレイ駆動装置。
【請求項３】
前記検知回路は、
前記ピクセル信号と一対一対応するサンプルアンドホールド回路を含み、
前記サンプルアンドホールド回路の少なくとも１つは、前記少なくとも１つの基準信号をサンプリングし、残りのサンプルアンドホールド回路は、前記ピクセル信号をサンプリングする、請求項１に記載のディスプレイ駆動装置。
【請求項４】
前記基準信号は、
周辺環境要因に対して一定（ｃｏｎｓｔａｎｔ）レベルを維持するように設定された、請求項１に記載のディスプレイ駆動装置。
【請求項５】
前記検知回路は、
前記ピクセル信号を検知する時間に前記少なくとも１つの基準信号を検知する、請求項１に記載のディスプレイ駆動装置。
【請求項６】
前記アナログデジタルコンバータは、前記ピクセルデータを用いた前記ピクセルの特性に対する演算と前記基準データを用いた前記ソースドライバの特性に対する演算がコントローラで行われるように、前記ピクセルデータと前記基準データを前記コントローラに伝送する、請求項１に記載のディスプレイ駆動装置。
【請求項７】
前記ピクセルデータと前記基準データを演算して、前記ピクセルの特性において前記ソースドライバの特性を補正した演算データをコントローラに出力する補正演算部をさらに含む、請求項１に記載のディスプレイ駆動装置。
【請求項８】
前記ピクセルデータと前記基準データを演算して、前記ピクセルの特性において前記ソースドライバの特性を補正した演算データを出力する補正演算部と、
前記演算データをコントローラに伝達するか、前記ピクセルデータと前記基準データをコントローラに伝達する伝達部と、をさらに含む、請求項１に記載のディスプレイ駆動装置。
【請求項９】
前記コントローラは、前記演算データ、または前記ピクセルデータと前記基準データを用いて、前記ピクセルの特性と前記ソースドライバのオフセットおよびゲイン特性を補正する、請求項８に記載のディスプレイ駆動装置。
【請求項１０】
ディスプレイパネルのピクセルの特性を補正するためのピクセル信号を検知する第１検知チャネル部と、
ソースドライバの特性を補正するための少なくとも１つの基準信号を検知する第２検知チャネル部と、
前記第１検知チャネル部と前記第２検知チャネル部によって検知された前記ピクセル信号と前記少なくとも１つの基準信号を、予め設定された順序によって順次に出力する選択部と、
前記選択部によって出力される前記ピクセル信号と前記少なくとも１つの基準信号をピクセルデータと基準データに変換し、前記ピクセルデータと前記基準データを伝送するアナログデジタルコンバータと、を含むディスプレイ駆動装置。
【請求項１１】
前記第２検知チャネル部は、
前記第１検知チャネル部が前記ピクセル信号を検知する時間に前記少なくとも１つの基準信号を検知する、請求項１０に記載のディスプレイ駆動装置。
【請求項１２】
前記第２検知チャネル部は、
前記第１検知チャネル部に同期して、前記少なくとも１つの基準信号を検知する、請求項１０に記載のディスプレイ駆動装置。
【請求項１３】
前記アナログデジタルコンバータは、前記ピクセルデータを用いた前記ピクセルの特性に対する演算と前記基準データを用いた前記ソースドライバの特性に対する演算がコントローラで行われるように、前記ピクセルデータと前記基準データを前記コントローラに伝送する、請求項１０に記載のディスプレイ駆動装置。
【請求項１４】
前記ピクセルデータと前記基準データを演算して、前記ピクセルの特性において前記ソースドライバの特性を補正した演算データを提供する補正演算部と、
前記演算データをコントローラに伝達するか、前記ピクセルデータと前記基準データをコントローラに伝達する伝達部と、をさらに含む、請求項１０に記載のディスプレイ駆動装置。
【請求項１５】
前記コントローラは、前記演算データ、または前記ピクセルデータと前記基準データを用いて、前記ピクセルの特性と前記ソースドライバのオフセットおよびゲイン特性を補正する、請求項１２に記載のディスプレイ駆動装置。
【請求項１６】
ディスプレイパネルのピクセルの特性を補正するためのピクセル信号を検知する検知チャネルを含み、前記検知チャネルの一部は、少なくとも１つのピクセル信号とソースドライバの特性を補正するための少なくとも１つの基準信号を選択的に検知する検知チャネル部と、
前記検知チャネル部によって検知された前記ピクセル信号と前記少なくとも１つの基準信号を、予め設定された順序によって順次に出力する選択部と、
前記選択部によって出力される前記ピクセル信号と前記少なくとも１つの基準信号をピクセルデータと基準データに変換し、前記ピクセルデータと前記基準データを伝送するアナログデジタルコンバータと、を含むディスプレイ駆動装置。
【請求項１７】
前記検知チャネル部は、
前記ピクセル信号を検知する時間に前記少なくとも１つの基準信号を検知する、請求項１６に記載のディスプレイ駆動装置。
【請求項１８】
前記少なくとも１つのピクセル信号と前記少なくとも１つの基準信号を前記検知チャネルの前記一部に選択的に伝達するスイッチング部をさらに含む、請求項１６に記載のディスプレイ駆動装置。
【請求項１９】
前記検知チャネル部は、前記ピクセル信号と一対一対応するサンプルアンドホールド回路を含み、
前記サンプルアンドホールド回路の少なくとも１つは、前記少なくとも１つのピクセル信号と前記少なくとも１つの基準信号を選択的にサンプリングする、請求項１６に記載のディスプレイ駆動装置。
【請求項２０】
前記アナログデジタルコンバータは、前記ピクセルデータを用いた前記ピクセルの特性に対する演算と前記基準データを用いた前記ソースドライバの特性に対する演算がコントローラで行われるように、前記ピクセルデータと前記基準データを前記コントローラに伝送する、請求項１６に記載のディスプレイ駆動装置。
【請求項２１】
前記ピクセルデータと前記基準データを演算して、ピクセルの特性においてソースドライバの特性を補正した演算データを提供する補正演算部と、
前記演算データをコントローラに伝達するか、前記ピクセルデータと前記基準データをコントローラに伝達する伝達部とをさらに含む、請求項１６に記載のディスプレイ駆動装置。
【国際調査報告】
2019523457.tif 000008
2019523457.tif 000009
2019523457.tif 000010
2019523457.tif 000011